(57)【要約】【課題】スライダーの胴体、停止爪体、及び引手の組立を省スペース、低コストで素早く行うことが可能であると共に、より装飾性の高いスライドファスナー用スライダーを提供する。【解決手段】  スライドファスナー用スライダー(1)では、停止爪体(6)は、引手(5)の倒伏・起立操作により、カバー部(63)が移動され、カバー部(63)の移動にともない爪部(61)が爪孔(36)を介してエレメント案内路(28)に挿入・抜出可能なように配されてなるスライドファスナー用スライダー(1)であって、引手(5)は、スライダー胴体(2)に対して肩口(26)側及び後口(27)側に完全に倒伏させたときから、停止爪体(6)に対して無負荷にそれぞれ所定の角度回転可能な領域を有することを特徴とする。【選択図】図１
2015004763.tif 000002
【特許請求の範囲】
【請求項１】
上翼板(21)と下翼板(22)の前端部同士が連結柱(23)により連結され、前記上下翼板(21,22)間の前記連結柱(23)側の肩口(26)から前記連結柱(23)とは反対側の後口(27)まで連通するＹ字状のエレメント案内路(28)が配されたスライダー胴体(2)と、
前記スライダー胴体(2)を操作するための本体部(51)と、前記本体部(51)の一端側から延設した一対のアーム部(52)と前記一対のアーム部(52)同士を連結する連結杆(53)とを備える引手(5)と、
前記上翼板(21)に配され、一端に爪部(61)と、一端と他端との間に前記引手(5)の前記連結杆(53)の少なくとも一部を覆うカバー部(63)と、を備えた停止爪体(6)と、
を有し、
前記引手(5)は  前記上翼板(21)に前記連結杆(53)が回動可能に保持され、
前記停止爪体(6)は他端部が前記スライダー胴体(2)に固定され、
前記引手(5)は、前記スライダー胴体(2)の前記肩口(26)側及び前記後口(27)側に倒伏した倒伏位置と、前記連結杆(53)の回動動作により前記引手(5)が倒伏位置から起立した起立位置となる回転領域を備え、
前記引手(5)の回転領域内において、前記停止爪体(6)が弾性変形することで前記カバー部(63)が移動され、前記カバー部(63)の移動にともない前記爪部(61)が前記エレメント案内路(28)に挿入・抜出可能なように配されてなるスライドファスナー用スライダー(1)であって、
前記引手(5)は、前記スライダー胴体(2)に対して前記肩口(26)側及び前記後口(27)側に完全に倒伏させたときから、前記停止爪体(6)に対して無負荷にそれぞれ所定の角度回転可能な領域を有する
ことを特徴とするスライドファスナー用スライダー。
【請求項２】
前記引手(5)の前記連結杆(53)には、基端側から先端側に向けて突出するカム部(56)が形成され、
前記カム部(56)は、前記引手(5)の表面側及び裏面側に第１傾斜面(56a)及び第２傾斜面(56b)を有し、
前記第１傾斜面(56a)及び前記第２傾斜面(56b)は、基端側から先端側にかけて各傾斜面が接近する方向に傾斜しており、
前記引手(5)を前記スライダー胴体(2)に対して前記後口(27)側に完全に倒伏させたときには、前記カム部(56)の前記第１傾斜面(56a)と前記停止爪体(6)の前記カバー部(63)の天板部(63a)の下面(63b)との間に、所定の角度が形成され、
前記引手(5)を前記スライダー胴体(2)に対して前記肩口(26)側に完全に倒伏させたときには、前記カム部(56)の前記第２傾斜面(56b)と前記停止爪体(6) の前記カバー部(63)の天板部(63a)の下面(63b)との間に、所定の角度が形成される
請求項１記載のスライドファスナー用スライダー。
【請求項３】
前記カム部(56)は、前記第１傾斜面(56a)と前記第２傾斜面(56b)を連結する円弧状の先端部を備えてなり、
前記カム部(56)の基端側の回転中心を通り、前記引手(5)の長さ方向に延びる直線(A)と、前記カム部(56)の先端側の径中心と基端側の回転中心を通る直線(B)は、交差するように形成される
請求項２に記載のスライドファスナー用スライダー。
【請求項４】
前記上翼板(21)の上面には前記上翼板(21)の上面よりも高い上面を備える載置部(31b)が形成されており、
前記引手(5)の前記連結杆(53)は、前記載置部(31b)上面に当接するように前記スライダー胴体(2)に設置されている
請求項２又は３に記載のスライドファスナー用スライダー。
【請求項５】
前記上翼板(21)の前記後口(27)部側の側端部上面に段差面を有する段差部(38)が形成され、
前記段差部(38)は、前記上翼板(21)の上面よりも低い段差部底面(38a)を備えてなり、
前記引手(5)が前記後口(27)側に倒伏した倒伏位置にある場合、前記引手(5)と前記スライダー胴体(2)とは、前記上翼板(21)の上面に当接し、前記段差部底面(38a)と前記引手(5)との間に隙間が空くような関係にある
請求項２乃至４のいずれか１つに記載のスライドファスナー用スライダー。
【請求項６】
前記スライダー胴体(2)に対して前記後口(27)側に完全に倒伏させた倒伏位置における前記カム部(56)の前記第１傾斜面(56a)と前記停止爪体(6)の前記カバー部(63)の前記天板部(63a)の前記下面(63b)との間の角度αは、１０°＜α≦３５°であって、
前記スライダー胴体(2)に対して前記肩口(26)側に完全に倒伏させたときの前記カム部(56)の前記第２傾斜面(56b)と前記停止爪体(6)の前記カバー部(63)の前記天板部(63a)の前記下面(63b)との間の角度βは、１０°＜β≦３５°である
請求項２乃至５のいずれか１つに記載のスライドファスナー用スライダー。
【請求項７】
前記引手(5)は、前記スライダー胴体(2)に対して前記引手(5)の長手方向が前記上翼板(21)上面と平行にあるときの起立位置から、倒伏位置側に０°以上５°以下の範囲で回転可能である
請求項６に記載のスライドファスナー用スライダー。
【請求項８】
前記スライダー胴体(2)、前記引手(5)、及び前記停止爪体(6)は、同一の表面処理が施された表面を有する
請求項１乃至７のいずれか１つに記載のスライドファスナー用スライダー。
【請求項９】
上翼板(21)と下翼板(22)の前端部同士が連結柱(23)により連結され、前記上下翼板(21,22)間の前記連結柱(23)側の肩口(26)から前記連結柱(23)とは反対側の後口(27)まで連通するＹ字状のエレメント案内路(28)が配されたスライダー胴体(2)と、
前記スライダー胴体(2)を操作するための本体部(51)と、前記本体部(51)の一端側から延設した一対のアーム部(52)と前記一対のアーム部(52)同士を連結する連結杆(53)とを備える引手(5)と、
前記上翼板(21)に配され、一端に爪部(61)、一端と他端との間に前記引手(5)の前記連結杆(53)の少なくとも一部を覆うカバー部(63)とを備えた停止爪体(6)と、
を有するスライドファスナー用スライダーの製造方法において、
前記引手(5)が、前記スライダー胴体(2)の前記肩口(26)側及び前記後口(27)側に倒伏した倒伏位置と、前記連結杆(53)の回動動作により前記引手(5)が倒伏位置から起立した起立位置となる回転領域を備え、
前記引手(5)の回転領域内において、前記停止爪体(6)が弾性変形することで前記カバー部(63)が移動される第１回転領域と、
前記第１回転領域と肩口側倒伏位置の間であって、前記停止爪体(6)に対して無負荷にそれぞれ所定の角度回転可能な第２回転領域と、
前記第１回転領域と後口側倒伏位置の間であって、前記停止爪体(6)に対して無負荷にそれぞれ所定の角度回転可能な第３回転領域を有するように
前記スライダー胴体(2)に前記引手(5)及び前記停止爪体(6)を組み付ける組付工程と、
前記組付工程で前記スライダー胴体(2)、前記引手(5)及び前記停止爪体(6)が組み付けられたスライドファスナー用スライダーを表面処理する表面処理工程と、
を有することを特徴とするスライドファスナー用スライダーの製造方法。
【発明の詳細な説明】
【技術分野】
【０００１】
本発明は、表面処理が行われるスライドファスナー用スライダーに関し、特に、表面処理不良を低減することが可能なスライドファスナー用スライダーに関する。
【背景技術】
【０００２】
従来から、スライドファスナーに用いられるスライダーとして、スライドファスナーを開閉した後に、引手の操作を解除するとスライダーに装着された停止爪体が自動的に作用してスライダーの停止位置を保持し、引手を操作しないかぎりスライダーの摺動停止状態を保持することが可能な自動停止機構付きのスライダーが知られている。また、このような自動停止機構を備えたスライダーの具体例が、特開２０１３−３１６９１号公報（特許文献１）などに開示されている。【０００３】
例えば、特許文献１に記載されているスライダーは、その上翼板に、停止爪体が挿入される挿入溝と、上翼板の後口側端縁部に同上翼板の上面側からエレメント案内路に貫通するように穿設された爪孔と、上翼板の前端部にて前記挿入溝の左右両側に立設された加締め用の突起部と、引手を保持するための左右の引手保持部とが設けられている。【０００４】
また、特許文献１における停止爪体には、スライダー胴体の爪孔に挿通される爪部が同停止爪体の一端部に配され、スライダー胴体の挿入溝に嵌入されるフック部が同停止爪体の他端部に配され、爪部とフック部との間には、引手の連結杆を覆うカバー部が設けられている。【０００５】
さらに、特許文献１の引手は、引手本体部と、引手本体部から延設された左右のアーム部と、左右のアーム部の先端部間を連結する円柱状の連結杆とを有している。また、連結杆の左右方向における中央部には、連結杆の断面を半円状とする凹部が形成されている。【０００６】
そして、特許文献１において、前述の引手及び停止爪体をスライダー胴体に組み付ける場合、まず、引手の連結杆をスライダー胴体の引手保持部に挿入し、同引手保持部を加締めることにより、引手をスライダー胴体に回動可能に保持する。続いて、引手を保持したスライダー胴体の挿入溝に、爪部がスライダー胴体の爪孔に挿通するように位置合わせをして停止爪体を挿入する。これによって、停止爪体がスライダー胴体の所定位置に配置される。【０００７】
その後、スライダー胴体の突起部を加締めることにより、停止爪体の他端部を所定のクリアランスをもって加締め固定する。これにより、特許文献１のスライダーが組み立てられる。【０００８】
このようにして組み立てられた特許文献１のスライダーにおいて、引手が後口側に倒伏している状態のときには、停止爪体のカバー部が引手の凹部に嵌り込み、スライダー胴体に対する停止爪体の相対的な位置が下がるため、同停止爪体の爪部がスライダー胴体の爪孔からエレメント案内路内に挿入される。【０００９】
一方、引手を起立させたときや、スライダーの前端側に倒伏させたときには、停止爪体のカバー部が、回動する引手の連結杆によって持ち上げられるため、停止爪体の爪部がエレメント案内路から抜出される。この場合、停止爪体の他端部は、前述のように、所定のクリアランスをもって固定されている。このため、引手を倒伏・起立操作したときに、停止爪体の他端部がそのクリアランスを利用して挿入溝内を移動することが可能となり、それによって、エレメント案内路に対する爪部の挿入・抜出動作を円滑に行うことが可能となる。【００１０】
従って、スライダーを用いてスライドファスナーを構成したときに、例えば引手の操作を解除して引手を後口側に倒伏させた場合には、停止爪体の爪部をエレメント案内路に突出させてエレメント列に係合させることができる。このため、スライダーをエレメント列に対して停止させて、その停止位置を保持することができる。一方、スライダーを操作するために引手を起立させた場合には、爪部がエレメント案内路から抜出されて、爪部とエレメント列との係合が解除されるため、スライダーをエレメント列に沿って円滑に摺動させることができる。
【先行技術文献】
【特許文献】
【００１１】
【特許文献１】特開２０１３−３１６９１号公報
【特許文献２】米国特許４３９１０２２号公報
【発明の概要】
【発明が解決しようとする課題】
【００１２】
特許文献１に記載されているスライダーは、前述のように、スライダー胴体の前端部に停止爪体を固定するための加締め用の突起部又は固定部が設けられている。このため、停止爪体を上翼板の挿入溝に挿入して配置した後、その加締め部を加締めることにより、又は固定部を上翼板の所定位置に固着することにより、停止爪体の爪部をエレメント案内路に挿入・抜出することが可能なように、停止爪体をスライダー胴体の上翼板に固定することができる。【００１３】
しかしながら、このようにして停止爪体及び引手をスライダー胴体の上翼板に固定する構造の場合、胴体に停止爪体と引手を組み立てた状態で鍍金や塗装等の表面処理を行うと、引手が停止爪体のバネの弾性力によって胴体に対して付勢され、引手と胴体が密着している箇所では、表面処理剤が浸入できず、表面処理を行うことが困難な場合があった。【００１４】
そのため、このような構造のスライダーは、胴体と引手を組み立てた状態で表面処理をおこなった後に、停止爪体を組み込んでいた。したがって、スライダーを組み立てるために、引手をスライダー胴体に組み付ける工程と停止爪体をスライダー胴体に組み付ける工程を分けて行うことが必要となり、各工程を行うための各装置を購入するための費用、各装置を配置するスペース、及び各工程における作業時間が必要であった。【００１５】
また、停止爪体は、表面処理をしない構成となっていた。そのため、組み立てられたスライダーは、胴体及び引手と停止爪との見栄えが異なり、装飾性の点においてはいまだ改善の余地があった。【００１６】
本発明は上記従来の課題に鑑みてなされたものであって、その具体的な目的は、スライダーの胴体、停止爪体、及び引手の組立工程をまとめて行い、また必要な装置の省スペース化、作業時間短縮による低コスト化で素早く組み立てることが可能であると共に、より装飾性の高いスライドファスナー用スライダーを提供することにある。
【課題を解決するための手段】
【００１７】
本発明にかかるスライドファスナー用スライダーは、
上翼板と下翼板の前端部同士が連結柱により連結され、前記上下翼板間の前記連結柱側の肩口から前記連結柱とは反対側の後口まで連通するＹ字状のエレメント案内路が配されたスライダー胴体と、
前記スライダー胴体を操作するための本体部と、前記本体部の一端側から延設した一対のアーム部と前記一対のアーム部同士を連結する連結杆とを備える引手と、
前記上翼板に配され、一端に爪部と、一端と他端との間に前記引手の前記連結杆の少なくとも一部を覆うカバー部と、を備えた停止爪体と、
を有し、
前記引手は、前記上翼板に前記連結杆が回動可能に保持され、
前記停止爪体は他端部が前記スライダー胴体に固定され、
前記引手は、前記スライダー胴体の前記肩口側及び前記後口に倒伏した倒伏位置と、前記連結杆の回動動作により前記引手が倒伏位置から起立した起立位置となる回転領域を備え、
前記引手の回転領域内において、前記停止爪体が弾性変形することで前記カバー部が移動され、前記カバー部の移動にともない前記爪部が前記エレメント案内路に挿入・抜出可能なように配されてなるスライドファスナー用スライダーであって、
前記引手は、前記スライダー胴体に対して前記肩口側及び前記後口側に完全に倒伏させたときから、前記停止爪体に対して無負荷にそれぞれ所定の角度回転可能な領域を有する
ことを特徴とする。【００１８】
また、本発明にかかるスライドファスナー用スライダーでは、
前記引手の前記連結杆には、基端側から先端側に向けて突出するカム部が形成され、
前記カム部は、前記引手の表面側及び裏面側に第１傾斜面及び第２傾斜面を有し、
前記第１傾斜面及び前記第２傾斜面は、基端側から先端側にかけて各傾斜面が接近する方向に傾斜しており、
前記引手を前記スライダー胴体に対して前記後口側に完全に倒伏させたときには、前記カム部の前記第１傾斜面と前記停止爪体の前記カバー部の天板部の下面との間に、所定の角度が形成され、
前記引手を前記スライダー胴体に対して前記肩口側に完全に倒伏させたときには、前記カム部の前記第２傾斜面と前記停止爪体の前記カバー部の天板部の下面との間に、所定の角度が形成される。【００１９】
また、本発明にかかるスライドファスナー用スライダーでは、
前記カム部は、前記第１傾斜面と前記第２傾斜面を連結する円弧状の先端部を備えてなり、
前記カム部の基端側の回転中心を通り、前記引手の長さ方向に延びる直線と、前記カム部の先端側の径中心と基端側の回転中心を通る直線は、交差するように形成される。【００２０】
また、本発明にかかるスライドファスナー用スライダーでは、
前記上翼板の上面には前記上翼板の上面よりも高い上面を備える載置部が形成されており、
前記引手の前記連結杆は、前記載置部上面に当接するように前記スライダー胴体に設置されている。【００２１】
また、本発明にかかるスライドファスナー用スライダーでは、
前記上翼板の前記後口部側の側端部上面に段差面を有する段差部が形成され、
前記段差部は、前記上翼板の上面よりも低い段差部底面を備えてなり、
前記引手が前記後口側に倒伏した倒伏位置にある場合、前記引手と前記スライダー胴体とは、前記上翼板の上面に当接し、前記段差部底面と前記引手との間に隙間が空くような関係にある。【００２２】
また、本発明にかかるスライドファスナー用スライダーでは、
前記スライダー胴体に対して前記後口側に完全に倒伏させた倒伏位置における前記カム部の前記第１傾斜面と前記停止爪体の前記カバー部の前記天板部の前記下面との間の角度αは、１０°＜α≦３５°であって、
前記スライダー胴体に対して前記肩口側に完全に倒伏させたときの前記カム部の前記第２傾斜面と前記停止爪体の前記カバー部の前記天板部の前記下面との間の角度βは、１０°＜β≦３５°である。【００２３】
また、本発明にかかるスライドファスナー用スライダーでは、
前記引手は、前記スライダー胴体に対して前記引手の長手方向が前記上翼板上面と平行にあるときの起立位置から、倒伏位置側に０°以上５°以下の範囲で回転可能である。【００２４】
また、本発明にかかるスライドファスナー用スライダーでは、
前記スライダー胴体、前記引手、及び前記停止爪体は、同一の表面処理が施された表面を有する。【００２５】
また、本発明にかかるスライドファスナー用スライダーの製造方法は、
上翼板と下翼板の前端部同士が連結柱により連結され、前記上下翼板間の前記連結柱側の肩口から前記連結柱とは反対側の後口まで連通するＹ字状のエレメント案内路が配されたスライダー胴体と、
スライダー胴体を操作するための本体部と、前記本体部の一端側から延設した一対のアーム部と前記一対のアーム部同士を連結する連結杆とを備える引手と、
前記上翼板に配され、一端に爪部、一端と他端との間に前記引手の連結杆の少なくとも一部を覆うカバー部とを備えた停止爪体と、
を有するスライドファスナー用スライダーの製造方法において、
前記引手が、前記スライダー胴体の前記肩口側及び前記後口側に倒伏した倒伏位置と、前記連結杆の回動動作により前記引手が倒伏位置から起立した起立位置となる回転領域を備え、
前記引手の回転領域内において、前記停止爪体が弾性変形することで前記カバー部が移動される第１回転領域と、
前記第１回転領域と肩口側倒伏位置の間であって、前記停止爪体に対して無負荷にそれぞれ所定の角度回転可能な第２回転領域と、
前記第１回転領域と後口側倒伏位置の間であって、前記停止爪体に対して無負荷にそれぞれ所定の角度回転可能な第３回転領域を有するように、
前記スライダー胴体に前記引手及び前記停止爪体を組み付ける組付工程と、
前記組付工程で前記スライダー胴体、前記引手及び前記停止爪体が組み付けられたスライドファスナー用スライダーを表面処理する表面処理工程と、
を有することを特徴とする。
【発明の効果】
【００２６】
本発明にかかるスライドファスナー用スライダーによれば、スライダーの胴体、停止爪体、及び引手の組立工程をまとめて行い、また必要な装置の省スペース化、作業時間短縮による低コスト化で素早く組み立てることが可能であると共に、より装飾性の高いスライドファスナー用スライダーを提供することが可能となる。
【図面の簡単な説明】
【００２７】
【図１】図１は、本実施形態のスライドファスナー用スライダーにおける構成部品が分離した状態を示す斜視図である。
【図２】図２は、本実施形態のスライダーが組み立てられた状態を示す斜視図である。
【図３】図３は、本実施形態のスライダーにおいて、引手が上翼板の上面に平行に後口側に倒伏した状態を示す側面図である。
【図４】図４は、本実施形態のスライダーにおいて、引手が上翼板の上面に平行に後口側に倒伏した状態を示す前後方向の断面図である。
【図５】図５は、本実施形態のスライダーにおいて、引手が完全に後口側に倒伏した状態を示す左右方向の断面図である。
【図６】図６は、本実施形態のスライダーにおいて、引手が完全に後口側に倒伏した状態のカム部付近を示す前後方向の拡大断面図である。
【図７】図７は、本実施形態のスライダーにおいて、引手が完全に後口側に倒伏した状態から引手を起立させてカム部と停止爪体が当接した状態のカム部付近を示す前後方向の拡大断面図である。
【図８】図８は、本実施形態のスライダーにおいて、引手が完全に肩口側に倒伏した状態のカム部付近を示す前後方向の拡大断面図である。
【図９】図９は、本実施形態のスライダーにおいて、引手が完全に肩口側に倒伏した状態から引手を起立させてカム部と停止爪体が当接した状態のカム部付近を示す前後方向の拡大断面図である。
【発明を実施するための形態】
【００２８】
以下、本発明の実施の形態について、図面を参照しながら詳細に説明する。
【００２９】
図１は、本実施形態のスライドファスナー用スライダーを構成する部品が分離した状態を示す斜視図である。図２は、本実施形態のスライダーが組み立てられた状態を示す斜視図である。図３は、本実施形態のスライダーにおいて、引手が上翼板の上面に平行に後口側に倒伏した状態を示す側面図である。図４は、本実施形態のスライダーにおいて、引手が上翼板の上面に平行に後口側に倒伏した状態を示す前後方向の断面図である。図５は、本実施形態のスライダーにおいて、引手が完全に後口側に倒伏した状態を示す左右方向の断面図である。
【００３０】
なお、本発明に係るスライドファスナー用スライダー１において、スライダー１がエレメント列を噛合させるように摺動する向きを前方とし、エレメント列を分離させるように摺動する向きを後方とする。また、上下翼板２１，２２に直交する方向を上下方向とし、上下翼板２１，２２に平行で、スライダー１の摺動方向に直交する方向を左右方向として規定する。
【００３１】
本実施形態に係るスライダー１は、図１に示したように、スライダー胴体２と、スライダー胴体２に一端部が回動可能に保持される引手５と、スライダー胴体２に配される停止爪体６とを有している。本実施形態のスライダー１において、スライダー胴体２及び引手５は、アルミニウム合金、亜鉛合金、銅合金などの金属材料を使用してダイキャスト成形又はプレス成形によって作製されている。また、停止爪体６は、ステンレスや銅合金等の弾性率の高い金属材料を使用してプレス成形により作製されている。
【００３２】
スライダー胴体２は、上翼板２１と、下翼板２２と、この上下翼板２１，２２の前端部間を連結する連結柱２３とを有している。上翼板２１の左右側部には、上翼板２１に直交する方向に上フランジ部２４が垂設され、下翼板２２の左右側部には、下翼板２２に直交する方向に下フランジ部２５が立設されている。
【００３３】
また、スライダー胴体２は、連結柱２３の左右両側に配された肩口２６と、後端に配された後口２７とを有しており、上下翼板２１，２２の間には、左右の肩口２６と後口２７とを連結するＹ字形のエレメント案内路２８が形成されている。
【００３４】
スライダー胴体２の上翼板２１は、引手５の一端を回動可能に保持する左右の引手保持部３１と、上翼板２１の上面の左右方向中央部に配され、停止爪体６を挿入する挿入溝３２と、上翼板２１の前端部に凹設された凹陥部３３と、凹陥部３３の底面部から立設された左右一対の固定部３４と、引手保持部３１と凹陥部３３との間に且つ挿入溝３２の左右両側に配され、上翼板２１の上面から隆起した隆起部３５と、とを有している。
【００３５】
なお、固定部３４は、後述するように、互いに近接する方向に加締めることによって、停止爪体６をスライダー胴体２に固定するためのものであるが、必ずしも加締めによって固定しなくてもよい。例えば、特許文献２の図３及び図４に代表的に開示されているように、停止爪体は案内柱に設けた孔の内壁に形成された固定部に停止爪体の先端を弾性的に係合させることによって固定しても良い。
【００３６】
引手保持部３１は、挿入溝３２の後口２７側且つ左右両側に突設された前後一対の突起３１ａと、左右の突起３１ａの間で引手５の一部を載置する載置部３１ｂと、を有している。引手５のうち後述する連結杆５３を前後の突起３１ａ間に挿入し、載置部３１ｂに載置した後、この前後一対の突起３１ａを互いに近づける方向へ屈曲させて加締めることにより、引手５の連結杆５３を引手保持部３１に回動可能に保持することができる。なお、載置部３１ｂは、上翼板２１の上面よりも隆起した上面を備えており、載置部３１ｂの上面に引手５の連結杆５３の一部が載置される。
【００３７】
挿入溝３２は、停止爪体６を安定して挿入できるように停止爪体６の左右方向の寸法と同等の溝幅、又は同幅寸法よりも少し大きな溝幅を有している。また、同挿入溝３２の後口２７側には、停止爪体６の形状に対応した段差が挿入溝３２の長さ方向に階段状に設けられている。
【００３８】
凹陥部３３は、上翼板２１の連結柱２３が連結されている前端部の挿入溝３２の上面側に凹設されている。凹陥部３３には、停止爪体６のフック部６２が当接して支持される。
【００３９】
本実施形態のスライダー１における固定部３４は、上翼板２１の底面から立設されている。左右の固定部３４は、上翼板２１の挿入溝３２に停止爪体６が挿入された後、内側に向けて屈曲させて加締められる。
【００４０】
隆起部３５は、挿入溝３２の左右両側に上翼板２１の上面から盛り上がるように配されている。このような隆起部３５が配されていれば、例えば停止爪体６が挿入溝３２に配置され、さらに引手５の操作によって同停止爪体６が挿入溝３２内で上下動したときに、同停止爪体６の一部が上翼板２１の上面よりも上方に移動しても、停止爪体６が挿入溝３２内から飛び出さないように隆起部３５によって停止爪体６を左右側方から隠して見え難くすることができ、これによって、スライダー１の見栄えを向上させることができる。
【００４１】
さらに、左右の引手保持部３１の間であって、スライダー１の後口２７側には、挿入溝３２内に停止爪体６を配置したときに同停止爪体６の後述する爪部６１を挿通することが可能な爪孔３６が穿設されている。
【００４２】
また、図３に示すように、凹陥部３３の前半部を取り囲む部分には、上翼板２１の上面と凹陥部３３の底面部との間の高さ位置に第１段差面３７ａを有する第１段差部３７が形成されている。
【００４３】
一方、上翼板２１の後口部２７側の上フランジ部２４が形成されている部位の上面に段差底面３８ａを有する第２段差部３８が形成されている。第２段差部３８は、上翼板２１の上面よりも低く形成された段差底面３８ａを有しており、引手５が後口２７側に完全に倒伏した状態の場合、図５に示すように、引手５とスライダー胴体２とは、第２段差部３８に当接する。このとき、引手５とスライダー胴体２との当接部分は、上翼板２１の上面のうち、第２段差部３８側の角部の面取りされた部分に点接触あるいは、線接触しており、段差底面３８ａと引手５との間に隙間が空いている。
【００４４】
この空間を形成することで、後述する表面処理工程において表面処理材の空間内への浸入が容易になり、表面処理不良を低減することが可能となる。また、上翼板２１に形成された載置部３２ｂに引手５の連結杆５３が載置され、かつ引手５が上翼板２１の上面のうち面取りされた部分に当接するので、引手５を後口２７側に倒伏したときに、引手５は、載置部３１ｂ側から第２段差部３８側に向けて下方へ傾斜して配置することが可能となる。
【００４５】
本実施形態における引手５は、引手本体部５１と、引手本体部５１の一端から平行に延設された左右のアーム部５２と、左右のアーム部５２の先端部を連結する連結杆５３とを有している。また、引手本体部５１における表裏面の中央部分には、表裏方向に貫通する矩形状の開口窓部５４が設けられている。開口窓部５４は、引手５を後口２７及び肩口２６側に倒伏した際に、突起３１ａのうち、後口側に形成された突起３１ａが貫通するように形成される。
【００４６】
引手５の連結杆５３は、円形断面を有するように円柱状に形成されており、連結杆５３の中央部には、連結杆５３と、左右のアーム部５２と、引手本体部５１の一端縁とにより形成される開口内に突出するカム部５６が一体的に設けられている。
【００４７】
このカム部５６は、軸部側の基端側と、軸部から最も離れた先端側を備えている。カム部５６は引手５の表面側に第１傾斜面５６ａ、裏面側に第２傾斜面５６ｂを有し、第１傾斜面５６ａと第２傾斜面５６ｂは、基端側から先端側にかけて各傾斜面が近接する方向に傾斜している。そして、引手５をスライダー胴体２に対して後口２７及び肩口２６側に完全に倒伏させたときには、カム部５６の第１傾斜面５６ａ及び第２傾斜面５６ｂと停止爪体６の後述するカバー部６３の天板部６３ａの下面６３ｂとの間に、上下方向において、所定の角度を形成することが可能となる。また、カム部５６は、第１傾斜面５６ａと第２傾斜面５６ｂを連結する円弧状の先端部を備えてなり、カム部５６の基端側の回転中心を通り、引手５の長さ方向に延びる直線Ａと、カム部５６の先端側の径中心と基端側の回転中心を通る直線Ｂは、所定の角度で交差するように形成される。
【００４８】
本実施形態における停止爪体６は、弾性を備えており、スライダー胴体２の爪孔３６を介してエレメント案内路２８内に挿入・抜出可能な爪部６１をその一端部に有する。また、スライダー胴体２の挿入溝３２の凹陥部３３に嵌入されるフック部６２をその他端部に有している。また、同停止爪体６の爪部６１とフック部６２との間には、引手５の連結杆５３及びカム部５６を上方から覆うように配される断面略Ｕ字状のカバー部６３が設けられている。さらにカバー部６３は、停止爪体６の一端部と他端部の間にカム部５６と接触可能な天板部６３ａを備えており、天板部６３ａに対してカバー部６３の一端部と他端部はそれぞれ屈曲している。
【００４９】
停止爪体６のカバー部６３は、スライダー胴体２に配された左右の引手保持部３１間の間隔よりも小さく、且つ、スライダー胴体２に形成した挿入溝３２の溝幅よりも大きい幅寸法を有している。また、停止爪体６のカバー部６３よりも他端側の部位は、スライダー胴体２に形成した挿入溝３２の溝幅よりも小さい幅寸法を有している。
【００５０】
次に、上述のようなスライダー胴体２、引手５、及び停止爪体６より構成される本実施形態のスライドファスナー用スライダー１の製造方法について説明する。
【００５１】
まず、スライドファスナー用スライダー１の組付工程について説明する。
【００５２】
スライダー胴体２の左右の引手保持部３１がそれぞれ有する前後の突起３１ａ間に引手５の連結杆５３を挿入し、引手５をスライダー胴体２の後口２７側に倒伏させた状態にて、前後の突起３１ａを互いに近づける方向へ屈曲させて加締める。これにより、引手５がスライダー胴体２に対して連結杆５３を中心に回動可能に保持される。
【００５３】
続いて、引手５を保持したスライダー胴体２に、停止爪体６を設置する。この際、同停止爪体６の爪部６１がスライダー胴体２の爪孔３６に挿通し、フック部６２を凹陥部３３に嵌入させ、且つ、同停止爪体６のカバー部６３が引手５の連結杆５３及びカム部５６を上方から覆うように配置する。これによって、停止爪体６がスライダー胴体２の所定位置に配置される。
【００５４】
その後、スライダー胴体２に配した固定部３４を内側に屈曲させて加締めることにより、停止爪体６の爪部６１が爪孔３６に挿通した状態で、同停止爪体６の他端部が所定のクリアランスをもって固定部３４によって加締め固定される。このような作業を行うことにより、図２に示したような本実施形態のスライドファスナー用スライダー１が組み立てられる。
【００５５】
次に、スライドファスナー用スライダー１の表面処理工程について説明する。
【００５６】
本実施形態では、胴体２と引手５及び停止爪体６を組み立てた状態で表面処理としての鍍金をおこなうことができる。本実施形態の表面処理工程は、胴体２と引手５及び停止爪体６を組み立てた状態の複数のスライドファスナー用スライダー１を複数の小さな孔を開けたバレルに入れ、メッキ液に浸漬し、バレルを回転させながら鍍金することで行う。
【００５７】
なお、表面処理は鍍金に限らず、塗装等でもよい。
【００５８】
次に、上述のように組み立てた本実施形態のスライダー１の作動について説明する。
【００５９】
図６は、第１実施形態のスライダーにおいて、引手が完全に後口側に倒伏した状態のカム部付近を示す前後方向の拡大断面図である。
【００６０】
スライダー１は、図６及び図８に示すように、スライダー胴体２に固定された引手５が、スライダー胴体２の肩口２６側及び後口２７側に倒伏した倒伏位置と、引手５の連結杆５３の回動動作により引手５が倒伏位置から起立した起立位置と、からなる回転領域を備える。なおここで、起立位置とは、引手５が回動可能な範囲の任意の位置を指し、完全に倒伏された倒伏位置とは異なり、特定の位置を指しているものではない。図６においては、引手５をスライダー胴体２の後口２７側に倒伏させることによって、引手５の連結杆５３に形成したカム部５６を上翼板２１の上面に対して略平行な方向に向かせることができる。なお、肩口２６側とは、連結杆５３に対して図３に示した肩口２６のある方向、後口２７側とは、連結杆５３に対して図３に示した後口２７のある方向とする。
【００６１】
また、本実施形態では、スライダー胴体２に対して後口２７側に完全に倒伏させた倒伏位置にあるときのカム部５６の第１傾斜面５６ａとカバー部６３の天板部６３ａの下面６３ｂとの間の角度αを１０°≦α≦３５°と設定した。なお、スライダー胴体２に対して後口２７側に完全に倒伏させたときのカム部５６の第１傾斜面５６ａとカバー部６３の天板部６３ａの下面６３ｂとの間の角度αは、１０°≦α≦２５°に設定してもよい。
【００６２】
この角度αが上記設定範囲より小さいと、表面処理剤が引手と胴体との間に浸入しにくくなり、表面処理不良が起こる可能性がある。一方、角度αが上記範囲より大きいと、停止爪体６の可動範囲が小さくなるので、操作性が低下する。
【００６３】
なお、上記角度αは、言い換えれば、引手５が後口２７側に倒伏した倒伏位置から停止爪体６に第１傾斜面５６ａに当接した直後の状態（すなわち図７の状態）までの回転可能な角度であって第２回転領域ともいう。
【００６４】
ここで、角度αを大きく設定し、停止爪体６の可動領域を小さくしてしまうと、停止爪体６の爪部６１の抜き差し動作が遅くなってしまう。そこで、停止爪体６の可動領域を小さくしないように上記角度αをより広く設定する手段の一つとして、本実施形態では、上翼板２１の上面に平行に引手を配置した時を０°とし、上翼板２１の後口２７側の上面に対して、引手５は、下方側に５°〜６°程度回転することが可能に形成されていることが好ましい。
【００６５】
このような構成とすることで、引手５は、スライダー胴体２に対して後口２７側に完全に倒伏させた倒伏位置にあるときから、爪部６１が作動を始めるまで、無負荷にそれぞれ所定の角度回転可能な領域である遊び領域として、最大約３５°自由に回転することが可能に形成されている。
【００６６】
このとき、引手５は、停止爪体６のカバー部６３に対して、連結杆５３の一部が当接するのみであり、カム部５６は、停止爪体６のカバー部６３とは干渉しない。すなわち、カム部５６の第１傾斜面５６ａと停止爪体６のカバー部６３との間に遊び領域が形成されている。この遊び領域は、前述の第１傾斜面５６ａとカバー部６３の天板部６３ａの下面６３ｂの角度αによって設定されている。
【００６７】
そのため、引手５が遊び領域内で回転したとしても、停止爪体６のカバー部６３はカム部５６によって持ち上げられることはない。そして、同停止爪体６の爪部６１は、爪孔３６を介して図３に示したエレメント案内路２８内に突出した状態のままでいる。
【００６８】
したがって、本実施形態のスライダー１をファスナーチェーンのエレメント列に挿通させてスライドファスナーを構成したときに、引手５をスライダー胴体２の後口２７側に倒伏させることにより、停止爪体６の爪部６１が図３に示したエレメント案内路２８内に突出してエレメント列に係着し、エレメント列に対するスライダー１の停止位置を保持することができる。
【００６９】
図７は、第１実施形態のスライダーにおいて、引手が完全に後口側に倒伏した倒伏位置から引手を起立させた起立位置でカム部と停止爪体が当接した状態のカム部付近を示す前後方向の拡大断面図である。なお、図７における引手の起立位置は、カム部と停止爪体６が当接した直後の状態であって、停止爪体６に対して無負荷な状態である。
【００７０】
図６に示した状態から引手５を少し持ち上げた場合、停止爪体６に対して無負荷に所定の角度回転可能な遊び領域で引手５を回動させるのであれば、停止爪体６の爪部６１がエレメント案内路２８から抜け出すことはない。すなわち、図６に示した引手５が後口側に倒伏した倒伏位置から、図７に示したカム部５６の第１傾斜面５６ａと停止爪体６のカバー部６３とが当接する状態になる起立位置までの遊び領域の間、引手５は、自由に回転可能な状態となっている。
【００７１】
続いて、図７に示したカム部５６の第１傾斜面５６ａと停止爪体６のカバー部６３とが当接した状態から、さらに引手５を持ち上げて、上翼板２１に対して直交する方向へ起立させると、引手５は、上翼板２１の上面に対して所定の傾斜角度以上に傾くことになる。すると、引手５のカム部５６が停止爪体６のカバー部６３に干渉して、前記停止爪体６が弾性変形し、停止爪体６のカバー部６３がカム部５６の第１傾斜面５６ａによって持ち上げられ、停止爪体６の爪部６１が図３に示したエレメント案内路２８から抜き出される。その結果スライダー１は、図示しないエレメント上を移動可能な状態となる。
【００７２】
図８は、第１実施形態のスライダーにおいて、引手が完全に肩口側に倒伏した状態のカム部付近を示す前後方向の拡大断面図である。
【００７３】
スライダー１は、図８に示すように、引手５をスライダー胴体２の図１に示した肩口２６側に倒伏させることによって、引手５の連結杆５３に形成したカム部５６を上翼板２１の上面に対して略平行な方向に向かせることができる。
【００７４】
また、本実施形態では、スライダー胴体２に対して肩口２６側に完全に倒伏させた倒伏位置にあるときのカム部５６の第２傾斜面５６ｂとカバー部６３の天板部６３ａの下面６３ｂとの間の角度βを１０°≦β≦３５°と設定した。なお、スライダー胴体２に対して肩口２６側に完全に倒伏させた倒伏位置にあるときのカム部５６の第２傾斜面５６ｂとカバー部６３の天板部６３ａの下面６３ｂとの間の角度βは、１０°≦β≦２５°に設定してもよい。
【００７５】
この角度βが上記設定範囲より小さいと、表面処理剤が引手と胴体との間に浸入しにくくなり、表面処理不良が起こる可能性がある。一方、角度βが上記範囲より大きいと、停止爪体６の可動範囲が小さくなるので、操作性が低下する。
【００７６】
なお、上記角度βは、言い換えれば、引手５が肩口２６側に倒伏した倒伏位置から停止爪体６に第２傾斜面５６ｂ当接した直後の状態（すなわち図９の状態）までの回転可能な角度であって、第３回転領域ともいう。なお、第３回転領域と第２回転領域の間であって、カム部５６によってカバー部６３が移動する領域を第１回転領域という。
【００７７】
さらに、本実施形態では、角度αの時の同様の理由で、上翼板２１の上面を０°とし、上翼板２１の肩口２６側の上面に平行に引手を配置した時に対して、引手５は、下方側に２°〜３°程度回転することが可能に形成されていることが好ましい。すなわち、引手５は、スライダー胴体２に対して肩口２６側に完全に倒伏させた倒伏位置から、爪部６１が作動を始めるまで、遊び領域として、約３５°自由に回転することが可能に形成されている。
【００７８】
このとき、引手５は、停止爪体６のカバー部６３に対して、連結杆５３の一部が当接するのみであり、カム部５６は、停止爪体６のカバー部６３とは干渉しない。すなわち、カム部５６の第２傾斜面５６ｂと停止爪体６のカバー部６３との間に遊び領域が形成されている。そのため、引手５が遊び領域内で回転したとしても、停止爪体６のカバー部６３がカム部５６によって持ち上げられることはない。そして、同停止爪体６の爪部６１が爪孔３６を介して図３に示したエレメント案内路２８内に突出した状態のままとなる。
【００７９】
したがって、本実施形態のスライダー１をファスナーチェーンのエレメント列に挿通させてスライドファスナーを構成したときに、引手５をスライダー胴体２の後口２７側に倒伏させることにより、停止爪体６の爪部６１がエレメント案内路２８内に突出してエレメント列に係着し、エレメント列に対するスライダー１の停止位置を保持することができる。
【００８０】
図９は、第１実施形態のスライダーにおいて、引手が完全に肩口側に倒伏した倒伏位置から引手を起立させてカム部と停止爪体が接触した状態のカム部付近を示す前後方向の拡大断面図である。なお、図９における引手５の起立位置はカム部と停止爪体６は当接した直後の状態であって、停止爪体６に対して無負荷な状態である。
【００８１】
図８に示した状態から引手５を少し持ち上げた場合、停止爪体６に対して無負荷に所定の角度回転可能な遊び領域で引手５を回動させるのであれば、停止爪体６の爪部６１がエレメント案内路２８から抜け出すことはない。すなわち、図８に示した引手５が肩口２６側に倒伏した倒伏位置から、図９に示したカム部５６の第２傾斜面５６ｂと停止爪体６のカバー部６３とが当接する状態になる起立位置までの遊び領域の間、引手５は、自由に回転可能な状態となっている。
【００８２】
続いて、図９に示したカム部５６の第１傾斜面５６ａと停止爪体６のカバー部６３とが当接した状態から、さらに引手５を持ち上げて、上翼板２１に対して直交する方向へ起立させると、引手５は、上翼板２１の上面に対して所定の傾斜角度以上に傾くことになる。すると、引手５のカム部５６が停止爪体６のカバー部６３に干渉して、前記停止爪体６が弾性変形し、停止爪体６のカバー部６３がカム部５６の第２傾斜面５６ｂによって持ち上げられ、停止爪体６の爪部６１が図３に示したエレメント案内路２８から抜き出される。その結果スライダー１は、図示しないエレメント上を移動可能な状態となる。
【００８３】
以上のように、本実施形態のスライダー１は、上翼板２１と下翼板２２の前端部同士が連結柱２３により連結され、上下翼板２１，２２間の連結柱２３側の肩口２６から連結柱２３とは反対側の後口２７まで連通するＹ字状のエレメント案内路２８が配されたスライダー胴体２と、スライダー胴体２を操作するための本体部５１と、本体部５１の一端側から延設した一対のアーム部５２と一対のアーム部５２同士を連結する連結杆５３とを備える引手５と、上翼板２１に配され、一端に爪部６１と、一端と他端との間に引手５の連結杆５３の少なくとも一部を覆うカバー部６３と、を備えた停止爪体６と、を有し、引手５は上翼板２１に前記連結杆５３が回動可能に保持され、停止爪体６は他端部がスライダー胴体２に固定され、引手５は、スライダー胴体２の肩口２６側及び後口２７側に倒伏した倒伏位置と、連結杆５３の回動動作により引手５が倒伏位置から起立した起立位置となる回転領域を備え、引手５の回転領域内において、停止爪体６が弾性変形することで前記カバー部６３が移動され、カバー部６３の移動にともない爪部６１がエレメント案内路２８に挿入・抜出可能なように配されてなるスライドファスナー用スライダーであって、引手５がスライダー胴体２に対して肩口２６側及び後口２７側に完全に倒伏させたときから、停止爪体６に対して無負荷にそれぞれ所定の角度回転可能な領域を有するので、胴体２に停止爪体６と引手５を組み立てた状態で表面処理を行ったとしても、遊び領域内で引手５が胴体２から離間し、表面処理剤が引手５と胴体２の間に浸入することできるので、的確に表面処理を行うことが可能となる。
【００８４】
また、引手５の連結杆５３には、基端側から先端側に向けて突出するカム部５６が形成され、カム部５６は、引手５の表面側及び裏面側に第１傾斜面５６ａ及び第２傾斜面５６ｂを有し、第１傾斜面５６ａ及び第２傾斜面５６ｂは、基端側から先端側にかけて各傾斜面が接近する方向に傾斜しており、引手５をスライダー胴体２に対して後口２７側に完全に倒伏させたときには、カム部５６の第１傾斜面５６ａと停止爪体６のカバー部６３の天板部６３ａの下面６３ｂとの間に、所定の角度が形成され、引手５をスライダー胴体２に対して肩口２６側に完全に倒伏させたときには、カム部５６の第２傾斜面５６ｂと停止爪体６のカバー部６３の天板部(63a)の下面(63b)との間に、所定の角度が形成されるので、より的確に表面処理を行うことが可能となる。
【００８５】
また、カム部５６の基端側の回転中心を通り、引手５の長さ方向に延びる直線と、カム部５６の先端側の径中心と基端側の回転中心を通る直線を、交差するように形成するので、引手５の遊び領域を大きくすることができ、より的確に表面処理を行うことが可能となる。
【００８６】
また、上翼板２１の上面には上翼板(21)の上面よりも高い上面を備える載置部３１ｂが形成されており、引手５の連結杆５３は、載置部３１ｂ上面に当接するようにスライダー胴体２に設置されているので、停止爪体６の弾性変形領域、すなわち爪部６１がエレメント案内路２８内に抜き差しできる領域を大きく保つことができるので、引手５の遊び領域を大きくするとともに、停止爪体６による停止機能を損なわないスライダーを提供することができる。
【００８７】
また、上翼板２１の後口２７部側の側端部上面に段差面３８ａを有する段差部３８が形成され、段差部３８は、上翼板２１の上面よりも低い段差部底面３８ａを備えてなり、引手５が後口２７側に倒伏した倒伏位置にある場合、引手５とスライダー胴体２とは、上翼板２１の上面に当接し、段差部底面３８ａと引手５との間に隙間が空くような関係にあるので、停止爪体６の弾性変形領域、すなわち爪部６１がエレメント案内路２８内に抜き差しできる領域を大きく保つことができるので、引手５の遊び領域を大きくするとともに、停止爪体６による停止機能を損なわないスライダーを提供することができる。
【００８８】
また、スライダー胴体２に対して後口２７側に完全に倒伏させた倒伏位置におけるカム部５６の第１傾斜面５６ａと停止爪体６のカバー部６３の天板部６３ａの下面６３ｂとの間の角度αは、１０°＜α≦３５°であって、スライダー胴体２に対して肩口２６側に完全に倒伏させたときのカム部５６の第２傾斜面５６ｂと停止爪体６のカバー部６３の天板部６３ａの下面６３ｂとの間の角度βは、１０°＜β≦３５°なので、組み立て工程後に表面処理を行った時に表面処理不良が起きにくいスライダーを提供することができる。さらにそのスライダーは停止爪体６の可動範囲を確保しているので、操作性は良好である。
【００８９】
また、引手５は、スライダー胴体２に対して引手５の長手方向が上翼板２１上面と平行にあるときの起立位置から、倒伏位置側に０°以上５°以下の範囲で回転可能なので、停止爪体６の可動範囲を確保することができる。
【００９０】
さらに、本実施形態のスライドファスナー用スライダーの製造方法は、上翼板２１と下翼板２２の前端部同士が連結柱２３により連結され、上下翼板２１，２２間の連結柱２３側の肩口２６から連結柱２３とは反対側の後口２７まで連通するＹ字状のエレメント案内路２８が配されたスライダー胴体２と、スライダー胴体２を操作するための本体部５１と、本体部５１の一端側から延設した一対のアーム部５２と一対のアーム部５２同士を連結する連結杆５３とを備える引手５と、上翼板２１に配され、一端に爪部６１、一端と他端との間に引手５の連結杆５３の少なくとも一部を覆うカバー部６３とを備えた停止爪体６と、を有するスライドファスナー用スライダーの製造方法において、引手５が、スライダー胴体２の肩口２６側及び後口２７側に倒伏した倒伏位置と、連結杆５３の回動動作により引手５が倒伏位置から起立した起立位置となる回転領域を備え、引手５の回転領域内において、停止爪体６が弾性変形することでカバー部６３が移動される第１回転領域と、第１回転領域と肩口側倒伏位置の間であって、停止爪体６に対して無負荷にそれぞれ所定の角度回転可能な第２回転領域と、第１回転領域と後口側倒伏位置の間であって、停止爪体６に対して無負荷にそれぞれ所定の角度回転可能な第３回転領域を有するように、スライダー胴体２に引手５及び停止爪体６を組み付ける組付工程と、組付工程でスライダー胴体２、引手５及び停止爪体６が組み付けられたスライドファスナー用スライダーを表面処理する表面処理工程と、を有する。
【００９１】
したがって、胴体２と引手５及び停止爪体６を組み立てた状態で表面処理をおこなうことができ、引手をスライダー胴体に組み付ける工程と停止爪体をスライダー胴体に組み付ける工程を１つにまとめておこなうことが可能となる。そのため、各工程を行うための各装置を購入するための費用、各装置を配置するスペース、及び各工程における作業時間が必要なくなる。
【００９２】
また、停止爪体６を胴体２及び引手５と共に表面処理することができる。そのため、胴体２、引手５及び停止爪６の見栄えが同一となり、装飾性が良好なものとすることが可能である。
【００９３】
さらに、本実施形態では、停止爪体６を胴体２及び引手５と共に加締め後に一度に表面処理することができるので、突起３１ａ及び固定部３４を加締めた際に生じてしまった傷等を表面処理により覆うことができ、胴体２、引手５及び停止爪６の見栄えが同一となり、装飾性が良好なものとすることが可能である。
【００９４】
つまり、本実施形態によれば、スライダーの胴体２、停止爪体６、及び引手５の組立を省スペース、低コストで素早く行うことが可能であると共に、より装飾性の高いスライドファスナー用スライダー１を提供することが可能となる。
【００９５】
以上、本発明の種々の実施形態について説明したが、本発明はこれらの実施形態のみに限られるものではなく、それぞれの実施形態の構成を適宜組み合わせて構成した実施形態も本発明の範疇となるものである。
【符号の説明】
【００９６】
１ スライダー
２ スライダー胴体
５ 引手
６ 停止爪体
２１ 上翼板
２２ 下翼板
２３ 連結柱
２４ 上フランジ部
２５ 下フランジ部
２６ 肩口
２７ 後口
２８ エレメント案内路
３１ 引手保持部
３１ａ突起
３２ 挿入溝
３３ 凹陥部
３４ 固定部
３４ａ 上端
３５ 隆起部
３６ 爪孔
３７ 第１段差部
３８ 第２段差部
３８ａ  段差部底面
５１ 引手本体部
５２ アーム部
５３ 連結杆
５４ 開口窓部
５４ａ 側壁部
５６ カム部
５６ａ 第１傾斜面
５６ｂ  第２傾斜面
６１ 爪部
６２ フック部
６３ カバー部
６３ａ  天板部
６３ｂ  下面
【図１】
2015004763.tif 000003
【図２】
2015004763.tif 000004
【図３】
2015004763.tif 000005
【図４】
2015004763.tif 000006
【図５】
2015004763.tif 000007
【図６】
2015004763.tif 000008
【図７】
2015004763.tif 000009
【図８】
2015004763.tif 000010
【図９】
2015004763.tif 000011
【手続補正書】
【提出日】平成28年10月11日(2016.10.11)
【手続補正１】
【補正対象書類名】特許請求の範囲
【補正対象項目名】全文
【補正方法】変更
【補正の内容】
【特許請求の範囲】
【請求項１】
上翼板(21)と下翼板(22)の前端部同士が連結柱(23)により連結され、前記上下翼板(21,22)間の前記連結柱(23)側の肩口(26)から前記連結柱(23)とは反対側の後口(27)まで連通するＹ字状のエレメント案内路(28)が配されたスライダー胴体(2)と、
前記スライダー胴体(2)を操作するための本体部(51)と、前記本体部(51)の一端側から延設した一対のアーム部(52)と前記一対のアーム部(52)同士を連結する連結杆(53)とを備える引手(5)と、
前記上翼板(21)に配され、一端に爪部(61)と、一端と他端との間に前記引手(5)の前記連結杆(53)の少なくとも一部を覆うカバー部(63)と、を備えた停止爪体(6)と、
を有し、
前記引手(5)は  前記上翼板(21)に前記連結杆(53)が回動可能に保持され、
前記停止爪体(6)は他端部が前記スライダー胴体(2)に固定され、
前記引手(5)は、前記スライダー胴体(2)の前記肩口(26)側及び前記後口(27)側に倒伏した倒伏位置と、前記連結杆(53)の回動動作により前記引手(5)が倒伏位置から起立した起立位置となる回転領域を備え、
前記引手(5)の回転領域内において、前記停止爪体(6)が弾性変形することで前記カバー部(63)が移動され、前記カバー部(63)の移動にともない前記爪部(61)が前記エレメント案内路(28)に挿入・抜出可能なように配されてなるスライドファスナー用スライダー(1)であって、
前記引手(5)は、前記スライダー胴体(2)に対して前記肩口(26)側及び前記後口(27)側に完全に倒伏させたときから、前記停止爪体(6)に対して無負荷にそれぞれ所定の角度回転可能な領域を有し、
前記引手(5)の前記連結杆(53)には、基端側から先端側に向けて突出するカム部(56)が形成され、
前記カム部(56)は、前記引手(5)の表面側及び裏面側に第１傾斜面(56a)及び第２傾斜面(56b)を有し、
前記第１傾斜面(56a)及び前記第２傾斜面(56b)は、基端側から先端側にかけて各傾斜面が接近する方向に傾斜しており、
前記引手(5)を前記スライダー胴体(2)に対して前記後口(27)側に完全に倒伏させたときには、前記カム部(56)の前記第１傾斜面(56a)と前記停止爪体(6)の前記カバー部(63)の天板部(63a)の下面(63b)との間に、所定の角度が形成され、
前記引手(5)を前記スライダー胴体(2)に対して前記肩口(26)側に完全に倒伏させたときには、前記カム部(56)の前記第２傾斜面(56b)と前記停止爪体(6) の前記カバー部(63)の天板部(63a)の下面(63b)との間に、所定の角度が形成される
ことを特徴とするスライドファスナー用スライダー。
【請求項２】
前記カム部(56)は、前記第１傾斜面(56a)と前記第２傾斜面(56b)を連結する円弧状の先端部を備えてなり、
前記カム部(56)の基端側の回転中心を通り、前記引手(5)の長さ方向に延びる直線(A)と、前記カム部(56)の先端側の径中心と基端側の回転中心を通る直線(B)は、交差するように形成される
請求項１に記載のスライドファスナー用スライダー。
【請求項３】
前記上翼板(21)の上面には前記上翼板(21)の上面よりも高い上面を備える載置部(31b)が形成されており、
前記引手(5)の前記連結杆(53)は、前記載置部(31b)上面に当接するように前記スライダー胴体(2)に設置されている
請求項１又は２に記載のスライドファスナー用スライダー。
【請求項４】
前記上翼板(21)の前記後口(27)部側の側端部上面に段差面を有する段差部(38)が形成され、
前記段差部(38)は、前記上翼板(21)の上面よりも低い段差部底面(38a)を備えてなり、
前記引手(5)が前記後口(27)側に倒伏した倒伏位置にある場合、前記引手(5)と前記スライダー胴体(2)とは、前記上翼板(21)の上面に当接し、前記段差部底面(38a)と前記引手(5)との間に隙間が空くような関係にある
請求項１乃至３のいずれか１つに記載のスライドファスナー用スライダー。
【請求項５】
前記スライダー胴体(2)に対して前記後口(27)側に完全に倒伏させた倒伏位置における前記カム部(56)の前記第１傾斜面(56a)と前記停止爪体(6)の前記カバー部(63)の前記天板部(63a)の前記下面(63b)との間の角度αは、１０°＜α≦３５°であって、
前記スライダー胴体(2)に対して前記肩口(26)側に完全に倒伏させたときの前記カム部(56)の前記第２傾斜面(56b)と前記停止爪体(6)の前記カバー部(63)の前記天板部(63a)の前記下面(63b)との間の角度βは、１０°＜β≦３５°である
請求項１乃至４のいずれか１つに記載のスライドファスナー用スライダー。
【請求項６】
前記引手(5)は、前記スライダー胴体(2)に対して前記引手(5)の長手方向が前記上翼板(21)上面と平行にあるときの起立位置から、倒伏位置側に０°以上５°以下の範囲で回転可能である
請求項５に記載のスライドファスナー用スライダー。
【請求項７】
前記スライダー胴体(2)、前記引手(5)、及び前記停止爪体(6)は、同一の表面処理が施された表面を有する
請求項１乃至６のいずれか１つに記載のスライドファスナー用スライダー。
【請求項８】
上翼板(21)と下翼板(22)の前端部同士が連結柱(23)により連結され、前記上下翼板(21,22)間の前記連結柱(23)側の肩口(26)から前記連結柱(23)とは反対側の後口(27)まで連通するＹ字状のエレメント案内路(28)が配されたスライダー胴体(2)と、
前記スライダー胴体(2)を操作するための本体部(51)と、前記本体部(51)の一端側から延設した一対のアーム部(52)と前記一対のアーム部(52)同士を連結する連結杆(53)とを備える引手(5)と、
前記上翼板(21)に配され、一端に爪部(61)、一端と他端との間に前記引手(5)の前記連結杆(53)の少なくとも一部を覆うカバー部(63)とを備えた停止爪体(6)と、
を有するスライドファスナー用スライダーの製造方法において、
前記引手(5)が、前記スライダー胴体(2)の前記肩口(26)側及び前記後口(27)側に倒伏した倒伏位置と、前記連結杆(53)の回動動作により前記引手(5)が倒伏位置から起立した起立位置となる回転領域を備え、
前記引手(5)の回転領域内において、前記停止爪体(6)が弾性変形することで前記カバー部(63)が移動される第１回転領域と、
前記第１回転領域と肩口側倒伏位置の間であって、前記停止爪体(6)に対して無負荷にそれぞれ所定の角度回転可能な第２回転領域と、
前記第１回転領域と後口側倒伏位置の間であって、前記停止爪体(6)に対して無負荷にそれぞれ所定の角度回転可能な第３回転領域を有するように
前記スライダー胴体(2)に前記引手(5)及び前記停止爪体(6)を組み付ける組付工程と、
前記組付工程で前記スライダー胴体(2)、前記引手(5)及び前記停止爪体(6)が組み付けられたスライドファスナー用スライダーを表面処理する表面処理工程と、
を有することを特徴とするスライドファスナー用スライダーの製造方法。
【国際調査報告】
2015004763.tif 000012
2015004763.tif 000013
2015004763.tif 000014
2015004763.tif 000015